(57)【特許請求の範囲】
【請求項１】
ケースと、
前記ケース内に設けられるベース部材と、
前記ベース部材に固定されるスイッチと、
前記ケースに設けられ、前記スイッチに対して接離する操作ボタンと、
前記操作ボタンの前記スイッチ側のボタン裏面における長手方向の中央部から突出し、該スイッチと対向する押し部と、
前記ベース部材に前記操作ボタンの長手方向に沿って設けられ、前記ボタン裏面と対向する受け部と、
前記ボタン裏面から突出し、かつ、前記押し部に対する前記操作ボタンの短手方向の一方側に該操作ボタンの長手方向に沿って配置され、前記受け部と対向するとともに、前記操作ボタンの長手方向の端部側における前記ボタン裏面からの突出長さが、該操作ボタンの長手方向の中央部における前記ボタン裏面からの突出長さよりも短いストッパリブ部と、
前記ケースに設けられ、前記操作ボタンの短手方向の他方側に接続されるとともに、弾性変形に伴って該操作ボタンを前記スイッチに対して接離させる弾性支持部と、
を備え、
前記ストッパリブ部は、前記押し部に対する前記弾性支持部と反対側に配置される、
情報処理装置。
【請求項２】
ケースと、
前記ケース内に設けられるスイッチと、
前記ケースに設けられ、前記スイッチに対して接離する操作ボタンと、
前記操作ボタンの前記スイッチ側のボタン裏面における長手方向の中央部から突出し、該スイッチと対向する押し部と、
前記ケース内に前記操作ボタンの長手方向に沿って設けられ、前記ボタン裏面と対向する受け部と、
前記ボタン裏面から突出し、かつ、前記押し部に対する前記操作ボタンの短手方向の一方側に該操作ボタンの長手方向に沿って配置され、前記受け部と対向するとともに、前記操作ボタンの長手方向の端部側における前記ボタン裏面からの突出長さが、該操作ボタンの長手方向の中央部における前記ボタン裏面からの突出長さよりも短いストッパリブ部と、
前記ケースに設けられ、前記操作ボタンの短手方向の他方側に接続されるとともに、弾性変形に伴って該操作ボタンを前記スイッチに対して接離させる弾性支持部と、
前記ボタン裏面から突出し、かつ、前記押し部に対する前記操作ボタンの短手方向の他方側に該操作ボタンの長手方向に沿って設けられ、前記操作ボタンの長手方向の端部側における前記ボタン裏面からの突出長さが、該操作ボタンの長手方向の中央部における前記ボタン裏面からの突出長さよりも短い補強リブ部と、
を備え
前記ストッパリブ部は、前記押し部に対する前記弾性支持部と反対側に配置される、
情報処理装置。
【請求項３】
前記ボタン裏面の長手方向の中央部には、前記スイッチに対する前記操作ボタンの接離に伴って該スイッチの一部が挿入されるスイッチ用凹部が形成され、
前記押し部は、前記スイッチ用凹部の底壁部から突出し、
前記ストッパリブ部は、前記スイッチ用凹部に対する前記操作ボタンの短手方向の一方側に配置される、
請求項１または請求項２に記載の情報処理装置。
【請求項４】
前記ストッパリブ部の前記ボタン裏面からの突出長さは、前記操作ボタンの長手方向の中央部から端部へ向かうに従って短くなる、
請求項１〜請求項３の何れか１項に記載の情報処理装置。
【請求項５】
前記ケース内に前記操作ボタンの長手方向に沿って設けられ、前記ボタン裏面と対向するベース部材と、
前記ベース部材における前記操作ボタン側の対向面に沿って配置され、該操作ボタンの長手方向に延びるとともに前記スイッチが実装されるスイッチ基板と、
を備え、
前記ストッパリブ部は、前記ボタン裏面から前記スイッチ基板に対する前記弾性支持部と反対側へ突出し、前記受け部としての前記対向面の一部と対向する、
請求項２に記載の情報処理装置。
【請求項６】
前記補強リブ部の前記ボタン裏面からの突出長さは、前記操作ボタンの長手方向の中央部から端部へ向かうに従って短くなる、
請求項２に記載の情報処理装置。
【請求項７】
前記補強リブ部は、前記ストッパリブ部よりも低剛性とされる、
請求項２又は請求項６に記載の情報処理装置。
【発明の詳細な説明】
【技術分野】
【０００１】
本願が開示する技術は、情報処理装置に関する。
【背景技術】
【０００２】
キーボードを備えるパーソナルコンピュータ等の情報処理装置がある（例えば、特許文献１参照）。この種のキーボードは、例えば、情報処理装置のケース内に設けられるスイッチと、スイッチと対向する操作ボタンと、操作ボタンの長手方向の中央部から突出し、操作者によって操作ボタンが押下された場合にスイッチを押下する押し部とを有する。
【先行技術文献】
【特許文献】
【０００３】
【特許文献１】特開２０１３−２１８９７５号公報
【発明の概要】
【発明が解決しようとする課題】
【０００４】
ところで、操作ボタンの裏面には、例えば、操作者によって操作ボタンが押下された場合に、ケース内の受け部と接触し、当該操作ボタンの押下量（押し込み量）を制限するストッパリブ部が設けられる場合がある。このストッパリブ部は、操作ボタンの裏面に、当該操作ボタンの長手方向に沿って設けられる。
【０００５】
しかしながら、押し部によってスイッチが押下されるまでの操作ボタンの押下量は、操作者が押下するクリックボタンの長手方向の位置によって変化する。具体的には、例えば、操作者がクリックボタンの長手方向の端部を押下すると、クリックボタンが撓む。このクリックボタンの撓み量に応じて、押し部によってスイッチが押下されるまでのクリックボタンの押下量が増加する。そのため、クリックボタンの長手方向の端部では、押し部によってスイッチが押下される前にストッパリブ部がケース内の受け部に接触し、スイッチの操作不良が発生する可能性がある。
【０００６】
本願が開示する技術は、一つの側面として、操作者によって操作ボタンの長手方向の端部が押下された場合のスイッチの操作不良を抑制することを目的とする。
【課題を解決するための手段】
【０００７】
本願が開示する技術では、情報処理装置は、ケースと、ケース内に設けられるベース部材と、ベース部材に固定されるスイッチと、ケースに設けられ、スイッチに対して接離する操作ボタンと、を備える。また、情報処理装置は、操作ボタンのスイッチ側のボタン裏面における長手方向の中央部から突出し、スイッチと対向する押し部と、ベース部材に操作ボタンの長手方向に沿って設けられ、ボタン裏面と対向する受け部と、を備える。さらに、情報処理装置は、ボタン裏面から突出し、かつ、押し部に対する操作ボタンの短手方向の一方側に操作ボタンの長手方向に沿って配置されるストッパリブ部を備える。さらに、情報処理装置は、ケースに設けられ、操作ボタンの短手方向の他方側に接続されるとともに、弾性変形に伴って該操作ボタンをスイッチに対して接離させる弾性支持部を備える。ストッパリブ部は、受け部と対向するとともに、操作ボタンの長手方向の端部側におけるボタン裏面からの突出長さが、操作ボタンの長手方向の中央部におけるボタン裏面からの突出長さよりも短い。ストッパリブ部は、押し部に対する弾性支持部と反対側に配置される。
【発明の効果】
【０００８】
本願が開示する技術によれば、一つの側面として、操作者によって操作ボタンの端部が押下された場合のスイッチの操作不良を抑制することができる。
【図面の簡単な説明】
【０００９】
【図１】図１は、一実施形態に係る情報処理装置を斜め上側から見た斜視図である。
【図２】図２は、図１に示される情報処理装置を斜め上側から見た分解斜視図である。
【図３】図３は、図２に示されるボタンユニットを斜め上側から見た分解斜視図である。
【図４】図４は、図２に示されるボタンユニットを斜め下側から見た分解斜視図である。
【図５】図５は、図２に示されるアッパケース及びボタンユニットを斜め下側から見た分解斜視図である。
【図６】図６は、図４に示されるボタン部材を示す拡大斜視図である。
【図７】図７は、図１０のＦ７−Ｆ７線断面図である。
【図８】図８は、操作者によってクリックボタンが押下された状態を示す図７に対応する断面である。
【図９】図９は、操作者によってクリックボタンが押下され、ストッパリブ部の突出方向の先端部がクリックベースの受け部に接触した状態を示す図７に対応する断面である。
【図１０】図１０は、図７のＦ１０−Ｆ１０線断面図である。
【図１１】図１１は、図１０のＦ１１−Ｆ１１線断面図である。
【図１２】図１２は、比較例に係る情報処理装置を示す図９に対応する断面図である。
【図１３】図１３は、図７のＦ１３−Ｆ１３線断面図である。
【図１４】図１４は、比較例に係るクリックボタンを示す図１３に対応する断面図である。
【図１５Ａ】図１５Ａは、図１０に示されるストッパリブ部をクリックボタンの短手方向から見た正面図である。
【図１５Ｂ】図１５Ｂは、図１５Ａに示されるストッパリブ部の変形例を示す正面図である。
【図１５Ｃ】図１５Ｃは、図１５Ａに示されるストッパリブ部の変形例を示す正面図である。
【発明を実施するための形態】
【００１０】
以下、本願が開示する技術の一実施形態を説明する。
【００１１】
（情報処理装置）
図１に示されるように、本実施形態に係る情報処理装置１０は、例えば、ノート型パーソナルコンピュータとされる。この情報処理装置１０は、本体装置（固定側装置）１２と、本体装置１２に回動可能に連結される表示装置（可動側装置）１４とを備える。表示装置１４には、例えば、液晶表示器などの表示器１６が設けられる。この表示装置１４は、本体装置１２側に閉じられた状態と、本体装置１２から開かれた状態とに変移される。
【００１２】
なお、図１には、本体装置１２から表示装置１４が開かれた状態が示される。また、各図に示される矢印Ｕ、矢印Ｆ及び矢印Ｗは、情報処理装置１０の高さ方向の上側、奥行方向の手前側（前後方向の前側）及び横幅方向をそれぞれ示す。
【００１３】
本体装置１２は、ケース２０を有する。ケース２０は、薄型の箱体であり、平面視にて矩形状に形成される。このケース２０は、本体装置１２の厚さ方向（情報処理装置１０の高さ方向）に分割されるアッパケース２２及びロアケース２４を有する。
【００１４】
図２に示されるように、ケース２０内には、例えば、プリント基板（メインボード）２６、光ディスクドライブユニット２８及びハードディスクドライブユニット３０が設けられる。また、ケース２０には、キーボード３２、タッチパッドユニット３４及びボタンユニット４０等が設けられる。
【００１５】
キーボード３２は、平面視にて矩形状に形成されており、アッパケース２２の奥行方向の中央部から奥側に亘って配置される。このキーボード３２は、アッパケース２２の上面２２Ｕから露出する複数のキートップ３２Ａを有する。タッチパッドユニット３４は、アッパケース２２の上面２２Ｕにおけるキーボード３２の前側（矢印Ｆ側）に配置される。このタッチパッドユニット３４は、操作者の指等によって操作されるタッチ操作面３４Ａを有する。タッチ操作面３４Ａは、平面視にて、ケース２０の横幅方向を長手方向とした矩形状に形成されており、アッパケース２２の上面２２Ｕから露出される。
【００１６】
なお、アッパケース２２の上面２２Ｕにおけるタッチパッドユニット３４の前側には、後述する一対のクリックボタン７４を露出させるボタン用開口３６が形成される。このボタン用開口３６は、平面視にて、タッチパッドユニット３４の前側の端部に沿ってケース２０の横幅方向に延びる長方形状に形成される。
【００１７】
（ボタンユニット）
ボタンユニット４０は、アッパケース２２の前側の端部に沿って配置される。図３及び図４に示されるように、ボタンユニット４０は、クリックベース４２と、スイッチユニット５４と、ボタン部材７０とを有する。なお、クリックベース４２は、ベース部材の一例である。
【００１８】
（クリックベース）
クリックベース４２は、スイッチユニット５４及びボタン部材７０が組み付けられた状態で、ビス５０（図５参照）によってアッパケース２２に固定される。つまり、スイッチユニット５４及びボタン部材７０は、クリックベース４２を介してケース２０に固定される。
【００１９】
具体的には、クリックベース４２は、例えば金属製とされるとともに、平面視にてケース２０（情報処理装置１０）の横幅方向（矢印Ｗ方向）を長手方向とした長方形状に形成される。このクリックベース４２は、ベース本体部４４と、一対の前側固定部４６Ａと、一対の後側固定部４６Ｂとを有する。
【００２０】
図５に示されるように、ベース本体部４４は、平面視にて、ボタン用開口３６とタッチパッドユニット３４とに亘って配置される。このベース本体部４４の長手方向両側の端部には、一対の前側固定部４６Ａ及び一対の後側固定部４６Ｂが設けられる。一対の前側固定部４６Ａ及び一対の後側固定部４６Ｂには、ビス５０が貫通される貫通孔４８がそれぞれ形成される。
【００２１】
アッパケース２２には、一対の前側ボス部５２Ａ及び一対の後側ボス部５２Ｂが設けられる。一対の前側ボス部５２Ａは、ボタン用開口３６の長手方向両側に配置される。また、一対の後側ボス部５２Ｂは、タッチパッドユニット３４の長手方向両側に配置される。この一対の前側ボス部５２Ａ及び一対の後側ボス部５２Ｂには、ビス５０によって一対の前側固定部４６Ａ及び一対の後側固定部４６Ｂがそれぞれ固定される。なお、本実施形態の一対の前側固定部４６Ａは、一例として、ビス５０によってロアケース２４（図２参照）と共に一対の前側ボス部５２Ａに固定される。
【００２２】
図３に示されるように、ベース本体部４４は、平板状に形成される。このベース本体部４４におけるボタン部材７０側の対向面４４Ｔには、スイッチユニット５４が固定されるスイッチ固定領域４４Ｔ１と、ボタンベース７２が固定されるボタン固定領域４４Ｔ２が設けられる。
【００２３】
（スイッチユニット）
スイッチユニット５４は、スイッチ基板５６と、一対のスイッチ５８とを有する。スイッチ基板５６は、クリックベース４２の長手方向に延びる長方形状に形成される。このスイッチ基板５６は、対向面４４Ｔのスイッチ固定領域４４Ｔ１に沿って配置される。また、スイッチ基板５６の長手方向の一端側には、ビス６８が貫通される固定孔６０が形成される。さらに、スイッチ基板５６の長手方向の他端側には、突出部６２が設けられる。
【００２４】
スイッチ固定領域４４Ｔ１の長手方向の一端側には、ビス孔６４が形成される。また、スイッチ固定領域４４Ｔ１の長手方向の他端側には、フック状の引掛け部６６が形成される。この引掛け部６６にスイッチ基板５６の突出部６２が引っ掛けられた状態で、スイッチ基板５６がクリックベース４２に重ねられる。この状態で、ビス６８が、スイッチ基板５６の固定孔６０を通してビス孔６４に締め込まれる。これにより、スイッチ固定領域４４Ｔ１にスイッチ基板５６が固定される。
【００２５】
一対のスイッチ５８は、スイッチ基板５６におけるクリックベース４２と反対側（アッパケース２２側）の実装面５６Ｕに実装される。この一対のスイッチ５８は、スイッチ基板５６の長手方向に間隔を空けて配置されるとともに、後述する一対のクリックボタン７４の押し部７８と対向して配置される。
【００２６】
各スイッチ５８は、例えば、ドームスイッチ等のタクタイルスイッチとされる。具体的には、各スイッチ５８は、例えば、反転ばね、固定接点及び可動接点を有する。反転ばねは、操作者による押下操作に伴って反転することで操作者にクリック感覚を与える。この反転ばねには、可動接点が設けられる。可動接点は、操作者による押下操作に伴って固定接点に接触される。これにより、スイッチ５８がオン状態（通電状態）となる。また、可動接点が固定接点から離れると、スイッチ５８がオフ状態（非通電状態）となる。この一対のスイッチ５８は、スイッチ基板５６に接続された図示しないケーブルを介して、例えば、前述したプリント基板（メインボード）と電気的に接続される。
【００２７】
（ボタン部材）
ボタン部材７０は、ボタンベース７２と、一対のクリックボタン７４と、複数の支持アーム７９Ａ，７９Ｂとを有する。ボタンベース７２、一対のクリックボタン７４、及び複数の支持アーム７９Ａ，７９Ｂは、例えば、弾性（ゴム性）を有する樹脂によって一体に形成される。このボタンベース７２は、クリックベース４２の長手方向に延びる長方形状に形成されており、クリックベース４２のボタン固定領域４４Ｔ２に固定される。
【００２８】
具体的には、図４に示されるように、ボタンベース７２とボタン部材７０とは、互いに重ね合わされた状態で組み付けられる。このボタンベース７２の長手方向両側の端部には、クリックベース４２側へ延出する一対の第１爪状部材８０が設けられる。この一対の第１爪状部材８０は、クリックベース４２の長手方向両側に形成された第１取付孔８６に挿入される。そして、一対の第１爪状部材８０が第１取付孔８６の縁部に係止されることにより、ボタンベース７２の長手方向両側の端部がクリックベース４２に固定される。
【００２９】
また、ボタンベース７２の長手方向の中央部における一対のクリックボタン７４と反対側の端部には、クリックベース４２側へ延出する第２爪状部材１００が設けられる。この第２爪状部材１００は、クリックベース４２の長手方向の中央部に形成された第２取付孔１０６に挿入される。そして、第２爪状部材１００が第２取付孔１０６の縁部に係止されることにより、ボタンベース７２の長手方向の中央部がクリックベース４２に固定される。
【００３０】
なお、ボタンベース７２には、ボタン部材７０をクリックベース４２に対して位置決めする一対の第１位置決め突起部８８と第２位置決め突起部１０８とが設けられる。これらの一対の第１位置決め突起部８８及び第２位置決め突起部１０８が、クリックベース４２に形成された一対の第１位置決め孔９０及び第２位置決め孔１１０にそれぞれ挿入されることにより、クリックベース４２に対してボタンベース７２が位置決められる。
【００３１】
図３に示されるように、一対のクリックボタン７４は、クリックベース４２の長手方向に並んで配置されるとともに、クリックベース４２の長手方向に延びる長方形状に形成される。この一対のクリックボタン７４は、スイッチユニット５４を間において、クリックベース４２のスイッチ固定領域４４Ｔ１と対向される。
【００３２】
図６に示されるように、各クリックボタン７４は、ボタン本体部９２と、一端側張出し部９４と、他端側張出し部９６とを有する。図７に示されるように、ボタン本体部９２は、アッパケース２２のボタン用開口３６内に配置され、当該アッパケース２２の上面２２Ｕから露出される。
【００３３】
一端側張出し部９４は、ボタン本体部９２の短手方向の一端部９２Ｆに沿って設けられる。この一端側張出し部９４は、ボタン本体部９２の短手方向の一端部９２Ｆから外側（前側）へ張り出し、ボタン用開口３６の前側の縁部３６Ｆに対する下側（ケース２０の内側）に配置される。この一端側張出し部９４がボタン用開口３６の前側の縁部３６Ｆと接触することにより、クリックボタン７４がボタン用開口３６から上方への浮き上がることが抑制される。また、一端側張出し部９４によって、ボタン本体部９２とボタン用開口３６の前側の縁部３６Ｆとの隙間が覆われる。これにより、クリックボタン７４の周辺の意匠性が向上する。
【００３４】
他端側張出し部９６は、ボタン本体部９２の短手方向の他端部９２Ｒに沿って設けられる。この他端側張出し部９６は、ボタン本体部９２の短手方向の他端部９２Ｒから外側（後側）へ張り出し、ボタン用開口３６の後側の縁部３６Ｒに対する下側（ケース２０の内側）に配置される。この他端側張出し部９６がボタン用開口３６の縁部３６Ｒに接触することにより、クリックボタン７４がボタン用開口３６から上方へ浮き上がることが抑制される。また、他端側張出し部９６によって、ボタン本体部９２とボタン用開口３６の後側の縁部３６Ｒとの隙間が覆われる。これにより、クリックボタン７４の周辺の意匠性が向上する。
【００３５】
図６に示されるように、各クリックボタン７４は、一対の支持アーム７９Ａ，７９Ｂを介してボタンベース７２に接続される。一対の支持アーム７９Ａ，７９Ｂは、ボタンベース７２からクリックボタン７４側へ延出し、クリックボタン７４の短手方向の他端側（後側）に接続される。この一対の支持アーム７９Ａ，７９Ｂによって、各クリックボタン７４がボタンベース７２に片持ち状態で支持される。なお、一対の支持アーム７９Ａ，７９Ｂは、弾性支持部の一例である。
【００３６】
また、一対の支持アーム７９Ａ，７９Ｂは、一対のクリックボタン７４とクリックベース４２との対向方向（情報処理装置１０の高さ方向）に弾性変形される。この一対の支持アーム７９Ａ，７９Ｂの弾性変形に伴って、各クリックボタン７４の押し部７８がスイッチ５８に対して接離される。この際、後述するクリックボタン７４の押し部７８によって、スイッチ５８の中央部が押下される。
【００３７】
また、図４及び図６に示されるように、クリックボタン７４（ボタン本体部９２）におけるスイッチ５８側のボタン裏面７４Ｌには、ケース２０を薄型化するためのスイッチ用凹部７６、引掛け部用凹部９８及びビス用凹部９９が形成される。これらのスイッチ用凹部７６、引掛け部用凹部９８及びビス用凹部９９は、クリックボタン７４の長手方向に並んで配置される。
【００３８】
具体的には、各クリックボタン７４のボタン裏面７４Ｌにおける長手方向の中央部には、スイッチ５８と対向する矩形状のスイッチ用凹部７６が形成される。また、スイッチ用凹部７６の底壁部７６Ａ（図６参照）の中央部には、押し部７８が設けられる。押し部７８は、スイッチ用凹部７６の底壁部７６Ａから突起状に突出し、スイッチ５８の中央部と対向する。このスイッチ用凹部７６には、スイッチ５８に対するクリックボタン７４の接離に伴って、スイッチ５８の一部が配置される。この際、押し部７８によって、スイッチ５８の中央部が押下される。
【００３９】
また、各クリックボタン７４のボタン裏面７４Ｌにおけるスイッチ用凹部７６の一方側には、クリックベース４２の引掛け部６６と対向する矩形状の引掛け部用凹部９８が形成される。さらに、各クリックボタン７４のボタン裏面７４Ｌにおけるスイッチ用凹部７６の他方側には、ビス６８の頭部と対向するビス用凹部９９が形成される。これらの引掛け部用凹部９８及びビス用凹部９９には、スイッチ５８に対するクリックボタン７４の接離に伴って、引掛け部６６及びビス６８の一部がそれぞれ配置される。
【００４０】
なお、本実施形態では、一対のクリックボタン７４の強度を同等にするために、一対のクリックボタン７４がボタン部材７０の長手方向の中央部に対して対称に形成される。そのため、一対のクリックボタン７４のうち一方のクリックボタン７４には、引掛け部６６と対向しない強度調整用の引掛け部用凹部９８が形成される。これと同様に、一対のクリックボタン７４のうち他方のクリックボタン７４には、ビス６８の頭部と対向しない強度調整用のビス用凹部９９が形成される。
【００４１】
（操作ボタンの補強兼押下量制限構造）
次に、一対のクリックボタン７４の補強兼押下量制限構造の一例について説明する。図６に示されるように、クリックボタン７４のボタン裏面７４Ｌには、クリックボタン７４を補強するストッパリブ部１２０及び補強リブ部１３０が設けられる。ストッパリブ部１２０及び補強リブ部１３０は、クリックボタン７４のボタン裏面７４Ｌから突出するとともに、クリックボタン７４の長手方向一端部７４Ｅ側から他端部７４Ｅ側に亘って設けられる。
【００４２】
ストッパリブ部１２０は、押し部７８に対するクリックボタン７４の短手方向の一方側（支持アーム７９Ａ，７９Ｂと反対側）に、クリックボタン７４の長手方向に沿って配置される。また、補強リブ部１３０は、押し部７８に対するクリックボタン７４の短手方向の他方側（支持アーム７９Ａ，７９Ｂ側）に、クリックボタン７４の長手方向に沿って配置される。このストッパリブ部１２０と補強リブ部１３０とは、各々の長手方向の全長に亘って、クリックボタン７４の短手方向に互いに対向される。
【００４３】
（ストッパリブ部）
図７、図８及び図９に示されるように、ストッパリブ部１２０は、前側張出し部９４からスイッチ基板５６に対する支持アーム７９Ａ，７９Ｂと反対側（前側）へ突出する。このストッパリブ部１２０の突出方向の先端部１２０Ａは、クリックベース４２のベース本体部４４の対向面４４Ｔと対向される。
【００４４】
ここで、ベース本体部４４の対向面４４Ｔにおけるスイッチ固定領域４４Ｔ１（スイッチユニット５４）よりも前側の領域は、ストッパリブ部１２０の先端部１２０Ａと対向する受け部４４Ｔ３とされる。受け部４４Ｔ３は、スイッチ固定領域４４Ｔ１と共に同一平面を形成する。この受け部４４Ｔ３には、操作者によってクリックボタン７４が押下された場合に、ストッパリブ部１２０の先端部１２０Ａが接触される。これにより、操作者によるクリックボタン７４の押下量が制限される。つまり、ストッパリブ部１２０は、クリックボタン７４を補強するだけでなく、クリックボタン７４の押下量を制限するストッパとしても機能する。
【００４５】
図１０に示されるように、ストッパリブ部１２０の先端部１２０Ａは、クリックボタン７４の短手方向から見て、クリックボタン７４と反対側へ凸状に湾曲される。つまり、クリックボタン７４のボタン裏面７４Ｌからのストッパリブ部１２０の突出長さＳは、長手方向の中央部１２０Ｍから長手方向両側の端部１２０Ｅに向かうに従って短くなる。これにより、クリックボタン７４の長手方向の端部７４Ｅ側では、クリックボタン７４の長手方向の中央部７４Ｍと比較して、ストッパリブ部１２０の先端部１２０Ａとクリックベース４２の受け部４４Ｔ３との間隔Ｄが広くなる。
【００４６】
（補強リブ部）
図７に示されるように、補強リブ部１３０は、他端側張出し部９６からスイッチ基板５６に対する一対の支持アーム７９Ａ，７９Ｂ側（後側）へ突出する。この補強リブ部１３０の突出方向の先端部１３０Ａは、クリックベース４２のベース本体部４４の対向面４４Ｔと対向される。
【００４７】
ここで、クリックボタン７４は、一対の支持アーム７９Ａ，７９Ｂによって片持ち状態で支持される。そのため、操作者によってクリックボタン７４が押下されると、図８及び９に示されるように、クリックボタン７４の補強リブ部１３０側よりもストッパリブ部１２０側の移動量（沈み込み量）が大きくなる。そのため、操作者によってクリックボタン７４が押下された場合、補強リブ部１３０の先端部１３０Ａがクリックベース４２に接触する前に、ストッパリブ部１２０の先端部１２０Ａがクリックベース４２の受け部４４Ｔ３に接触される。
【００４８】
また、図６に示されるように、ストッパリブ部１２０と同様に、補強リブ部１３０の先端部１３０Ａは、クリックボタン７４の短手方向から見て、クリックボタン７４の反対側へ凸状に湾曲される。つまり、クリックボタン７４のボタン裏面７４Ｌからの補強リブ部１３０の突出長さＴ（図７参照）は、長手方向の中央部１３０Ｍから長手方向両側の端部１３０Ｅに向かうに従って短くなる。これにより、ストッパリブ部１２０と同様に、クリックボタン７４の長手方向の端部７４Ｅでは、クリックボタン７４の長手方向の中央部７４Ｍと比較して、補強リブ部１３０の先端部１３０Ａとクリックベース４２との間隔が広くなる。
【００４９】
また、補強リブ部１３０は、ストッパリブ部１２０よりも低剛性（低強度）とされる。換言すると、ストッパリブ部１２０は、補強リブ部１３０よりも高剛性（低強度）とされる。具体的には、図７に示されるように、補強リブ部１３０の突出長さＴは、補強リブ部１３０の長手方向の全長に亘って、ストッパリブ部１２０の突出長さＳよりも短くされる。したがって、例えば、クリックボタン７４の長手方向の中央部７４Ｍでは、補強リブ部１３０の突出長さＴがストッパリブ部１２０の突出長さＳよりも短くされる。これと同様に、図１１に示されるように、クリックボタン７４の長手方向の端部７４Ｅでは、補強リブ部１３０の突出長さＴが、ストッパリブ部１２０の突出長さＳよりも短くされる。
【００５０】
さらに、本実施形態では、図７及び図１１に示されるように、補強リブ部１３０の厚みＧ２が、補強リブ部１３０の長手方向の全長に亘ってストッパリブ部１２０の厚みＧ１よりも薄くされる。これにより、補強リブ部１３０の曲げ剛性（クリックボタン７４の厚み方向の曲げ剛性）が、ストッパリブ部１２０の曲げ剛性よりも低くされる。この結果、クリックボタン７４の短手方向の他端側（他端部９２Ｒ側）の曲げ剛性が、クリックボタン７４の短手方向の一端側（一端部９２Ｆ側）の曲げ剛性よりも低くされる。
【００５１】
次に、本実施形態の作用及び効果について説明する。
【００５２】
図８に矢印Ｐで示されるように、例えば、操作者の指によってクリックボタン７４がクリックベース４２側へ押下されると、一対の支持アーム７９Ａ，７９Ｂ（図６参照）が弾性変形する。この一対の支持アーム７９Ａ，７９Ｂの弾性変形に伴ってクリックボタン７４がスイッチ５８に接近し、クリックボタン７４の押し部７８によってスイッチ５８の中央部が押下される。これにより、スイッチ５８がオフ状態からオン状態に切り替えられる。
【００５３】
ここで、押し部７８によってスイッチ５８が押下された状態で、操作者がクリックボタン７４をさらに押下すると、クリックボタン７４及びスイッチユニット５４等が破損する可能性がある。
【００５４】
この対策として、例えば、図１２に示される比較例では、樹脂製のクリックベース１４０のベース本体部１４２に、一端側張出し部９４側へ突出する段部１４２Ａが形成される。この場合、押し部７８によってスイッチ５８が押下された状態で、操作者がクリックボタン７４をさらに押下すると、クリックボタン７４の一端側張出し部９４が段部１４２Ａに接触する。これにより、クリックボタン７４の押下量が制限されるため、クリックボタン７４等の破損が抑制される。しかしながら、この比較例では、ベース本体部４４に段部１４２Ａが形成されるため、クリックベース１４０の構造が複雑化する。
【００５５】
これに対して本実施形態では、図８に示されるように、クリックボタン７４の短手方向の一端側（一端部９２Ｆ側）にストッパリブ部１２０が設けられる。ストッパリブ部１２０は、一端側張出し部９４から突出し、クリックベース４２のベース本体部４４の受け部４４Ｔ３と対向される。そして、押し部７８によってスイッチ５８が押下された状態で、操作者がクリックボタン７４をさらに押下すると、図９に示されるように、ストッパリブ部１２０の先端部１２０Ａが受け部４４Ｔ３に接触する。これにより、クリックボタン７４の押下量が制限されるため、クリックボタン７４等の破損が抑制される。
【００５６】
また、本実施形態では、ベース本体部４４の対向面４４Ｔの一部が受け部４４Ｔ３とされる。そのため、本実施形態では、比較例に係るクリックベース１４０よりも、クリックベース４２の構造が単純化される。したがって、本実施形態では、クリックベース４２の製造コストが削減される。
【００５７】
また、本実施形態では、クリックベース４２の構造が単純化されるため、例えば、クリックベース４２を高強度化し易い金属製にすることができる。さらに、本実施形態のクリックベース４２には、比較例のような段部１４２Ａ（図１２参照）が存在しない。これにより、本実施形態では、比較例よりもストッパリブ部１２０の突出長さＳを長くすることができる。したがって、本実施形態では、クリックボタン７４の短手方向の一端側（一端部９２Ｆ側）の剛性を高めつつ、クリックボタン７４の押下量を制限することができる。
【００５８】
ここで、押し部７８によってスイッチ５８が押下されるまでのクリックボタン７４の押下量は、操作者が押下するクリックボタン７４の長手方向の位置によって変化する。具体的には、例えば、図１３に矢印Ｐで示されるように、操作者がクリックボタン７４の長手方向の端部７４Ｅを押下すると、クリックボタン７４が撓む。このクリックボタン７４の撓み量に応じて、押し部７８によってスイッチ５８が押下されるまでのクリックボタン７４の押下量（ストローク）Ｋが増加する。つまり、クリックボタン７４の長手方向の端部７４Ｅでは、クリックボタン７４の長手方向の中央部７４Ｍよりも、押し部７８によってスイッチ５８が押下されるまでのクリックボタン７４の押下量Ｋが大きくなる。
【００５９】
そのため、クリックボタン７４の長手方向の端部７４Ｅでは、押し部７８によってスイッチ５８が押下され難くなり、スイッチ５８の操作不良が発生する可能性がある。若しくは、クリックボタン７４の長手方向の端部７４Ｅでは、操作者が所定の操作感覚（クリック感覚）を得られない可能性がある。
【００６０】
特に、本実施形態では、クリックボタン７４の長手方向の中央部７４Ｍにスイッチ用凹部７６が形成されており、当該中央部７４Ｍの厚みがクリックボタン７４の他の部位よりも薄い。そのため、操作者によってクリックボタン７４の長手方向の端部７４Ｅが押下された場合に、クリックボタン７４の長手方向の中央部７４Ｍが押し部７８を起点として屈曲（座屈）する可能性がある。そして、クリックボタン７４の長手方向の中央部７４Ｍが屈曲すると、押し部７８によってスイッチ５８が押下されるまでのクリックボタン７４の押下量Ｋがさらに増加する。
【００６１】
この対策として本実施形態では、クリックボタン７４のボタン裏面７４Ｌに、ストッパリブ部１２０及び補強リブ部１３０が設けられる。これらのストッパリブ部１２０及び補強リブ部１３０によって、クリックボタン７４の厚み方向（矢印Ｕ方向）の曲げ剛性が高められる。これにより、操作者によってクリックボタン７４の長手方向の端部７４Ｅが押下された場合に、クリックボタン７４の撓み量が低減されるとともに、クリックボタン７４の長手方向の中央部７４Ｍの座屈が抑制される。この結果、押し部７８によってスイッチ５８が押下されるまでのクリックボタン７４の押下量Ｋが減少する。したがって、クリックボタン７４の長手方向の端部７４Ｅでのスイッチ５８の操作不良が抑制される。
【００６２】
このように本実施形態では、クリックボタン７４の薄型化を図りつつ、クリックボタン７４の長手方向の端部７４Ｅでのスイッチ５８の操作不良を抑制することができる。また、クリックボタン７４の長手方向の端部７４Ｅにおいても、操作者が所定の操作感覚を得易くなる。
【００６３】
また、本実施形態では、クリックボタン７４にストッパリブ部１２０及び補強リブ部１３０が設けられる。したがって、クリックボタン７４にストッパリブ部１２０のみを設けた場合と比較して、本実施形態では、クリックボタン７４の撓み量が低減される。
【００６４】
さらに、本実施形態のストッパリブ部１２０及び補強リブ部１３０は、クリックボタン７４のボタン裏面７４Ｌからスイッチ基板５６の短手方向の両側へそれぞれ突出される。これにより、ストッパリブ部１２０及び補強リブ部１３０の突出長さＳ，Ｔを長くしつつ、ボタンユニット４０及びケース２０の薄型化を図ることができる。
【００６５】
ところで、前述したように、クリックボタン７４の長手方向の端部７４Ｅでは、クリックボタン７４の長手方向の中央部７４Ｍよりも、押し部７８によってスイッチ５８が押下されるまでのクリックボタン７４の押下量が大きくなる。そのため、例えば、ストッパリブ部１２０の突出長さＳが、ストッパリブ部１２０の全長に亘って一定の場合には、次のことが懸念される。
【００６６】
すなわち、操作者がクリックボタン７４の長手方向の端部７４Ｅを押下した場合、押し部７８によってスイッチ５８が押下される前に、ストッパリブ部１２０の長手方向の端部１２０Ｅが受け部４４Ｔ３に接触する可能性がある。この場合、押し部７８によってスイッチ５８が押下され難くなり、スイッチ５８の操作不良が発生する虞がある。
【００６７】
これに対して本実施形態では、図１０に示されるように、ストッパリブ部１２０の先端部１２０Ａは、クリックボタン７４の短手方向から見て、クリックボタン７４と反対側へ凸状に湾曲される。そのため、クリックボタン７４の長手方向の端部７４Ｅでは、クリックボタン７４の長手方向の中央部７４Ｍと比較して、ストッパリブ部１２０の先端部１２０Ａとクリックベース４２の受け部４４Ｔ３との間隔Ｄが広くなる。
【００６８】
これにより、操作者がクリックボタン７４の長手方向の端部７４Ｅを押下した場合に、押し部７８によってスイッチ５８が押下される前に、ストッパリブ部１２０の長手方向の端部１２０Ｅがクリックベース４２の受け部４４Ｔ３に接触することが抑制される。したがって、操作者によってクリックボタン７４の長手方向の端部７４Ｅが押下された場合のスイッチ５８の操作不良を抑制することができる。
【００６９】
また、各クリックボタン７４は、一対の支持アーム７９Ａ，７９Ｂによって片持ち状態でボタンベース７２に支持される。そのため、操作者がクリックボタン７４を押下した場合、クリックボタン７４の短手方向の他端側（補強リブ部１３０側）よりも一端側（ストッパリブ部１２０側）の移動量（沈み込み量）が大きくなる。このような場合、操作者によってクリックボタン７４の長手方向の端部７４Ｅが押下されると、クリックボタン７４が長手方向に沿った中心軸回りに捩れる可能性がある。
【００７０】
この対策として本実施形態では、補強リブ部１３０がストッパリブ部１２０よりも低剛性とされる。これにより、クリックボタン７４の短手方向の他端側の曲げ剛性が、クリックボタン７４の短手方向の一端側の曲げ剛性よりも低くなる。そのため、操作者がクリックボタン７４の長手方向の端部７４Ｅを押下した場合、クリックボタン７４の短手方向の一端側（ストッパリブ部１２０側）よりも他端側（補強リブ部１３０側）の撓み量が大きくなる。したがって、図１１に二点鎖線で示されるように、操作者がクリックボタン７４の長手方向の端部７４Ｅを押下した場合に、クリックボタン７４の短手方向の一端側と他端側との移動量（沈み込み量）の差が小さくなる。この結果、クリックボタン７４の長手方向に沿った中心軸回りの捩れ量が小さくなる。
【００７１】
比較例と対比しながらより具体的に説明すると、例えば、図１４に示される比較例では、ストッパリブ部１２０及び補強リブ部１５０の剛性（曲げ剛性）が同じとされる。この場合、操作者がクリックボタン７４の長手方向の端部７４Ｅを押下した場合、クリックボタン７４の短手方向の一端側（ストッパリブ部１２０側）と他端側（補強リブ部１５０側）との撓み量が同じになる。そのため、二点鎖線で示されるように、操作者がクリックボタン７４の長手方向の端部７４Ｅを押下した場合、クリックボタン７４の短手方向の一端側と他端側との移動量（沈み込み量）の差が大きくなる。この結果、クリックボタン７４の長手方向に沿った中心軸回りの捩れ量が大きくなる。
【００７２】
これに対して本実施形態では、前述したように、補強リブ部１３０がストッパリブ部１２０よりも低剛性とされる。これにより、操作者がクリックボタン７４の長手方向の端部７４Ｅを押下した場合、クリックボタン７４の短手方向の一端側と他端側との移動量（沈み込み量）の差が小さくなる。この結果、本実施形態では、図１４に示される比較例よりもクリックボタン７４の長手方向に沿った中心軸回りの捩れ量が小さくなる。
【００７３】
したがって、操作者がクリックボタン７４の長手方向の端部７４Ｅを押下した場合に、押し部７８によってスイッチ５８が押下され易くなる。よって、操作者によってクリックボタン７４の長手方向の端部７４Ｅが押下された場合のスイッチ５８の操作不良がさらに抑制される。
【００７４】
次に、上記実施形態の変形例について説明する。
【００７５】
上記実施形態では、図１５Ａに示される模式図のように、ストッパリブ部１２０の先端部１２０Ａが、クリックボタン７４の短手方向から見て、クリックボタン７４と反対側へ凸状に湾曲されるが、上記実施形態はこれに限らない。例えば、図１５Ｂに示されるように、ストッパリブ部１２２の突出方向の先端部１２２Ａは、クリックボタン７４と反対側へ凸を成す三角形状に形成されても良い。この場合、ストッパリブ部１２２の突出長さＳは、上記実施形態と同様に、長手方向の中央部１２２Ｍから長手方向両側の端部１２２Ｅに向かうに従って徐々に短くなる。
【００７６】
また、例えば、図１５Ｃに示されるように、ストッパリブ部１２４の突出方向の先端部１２４Ａは、クリックボタン７４の短手方向から見て、階段状に形成される。この場合、ストッパリブ部１２２の突出長さＳは、長手方向の中央部１２４Ｍから長手方向両側の端部１２４Ｅに向けて段階的に短くなる。このようにストッパリブ部の形状は、適宜変更可能である。
【００７７】
また、上記実施形態では、補強リブ部１３０をストッパリブ部１２０よりも低剛性にするために、補強リブ部１３０の突出長さＴが、補強リブ部１３０の長手方向の全長に亘ってストッパリブ部１２０の突出長さＳよりも短くされる。さらに、補強リブ部１３０の厚みＧ２が、補強リブ部１３０の長手方向の全長に亘ってストッパリブ部１２０の厚みＧ１よりも薄くされる。しかしながら、補強リブ部１３０の突出長さＴとストッパリブ部１２０の突出高さＳとを同じにし、かつ、補強リブ部１３０の厚みＧ２をストッパリブ部１２０の厚みＧ１よりも薄くしても良い。また、補強リブ部１３０の厚みＧ２とストッパリブ部１２０の厚みＧ１と同じにし、かつ、補強リブ部１３０の突出長さＴをストッパリブ部１２０の突出高さＳよりも短くしても良い。
【００７８】
また、上記実施形態では、補強リブ部１３０がストッパリブ部１２０よりも低剛性とされるが、補強リブ部１３０の剛性は、ストッパリブ部１２０の剛性以上とされても良い。さらに、補強リブ部１３０は、省略されても良い。
【００７９】
また、上記実施形態では、クリックボタン７４にスイッチ用凹部７６、引掛け部用凹部９８及びビス用凹部９９が形成されるが、これらのスイッチ用凹部７６、引掛け部用凹部９８及びビス用凹部９９は省略可能である。
【００８０】
また、上記実施形態では、クリックベース４２にスイッチ基板５６が固定されるが、クリックベース４２には、スイッチ５８が固定されても良い。また、スイッチ５８は、タクタイルスイッチに限らず、他のスイッチであっても良い。さらに、操作ボタンは、クリックボタン７４に限らず、他の操作ボタンであっても良い。
【００８１】
また、上記実施形態では、クリックベース４２が金属製とされるが、クリックベース４２は、例えば、樹脂製であっても良い。また、上記実施形態では、クリックベース４２に受け部４４Ｔ３が設けられるが、受け部は、他の部材に設けられても良い。
【００８２】
さらに、上記実施形態では、ノート型パーソナルコンピュータである情報処理装置１０にボタンユニット４０が適用されるが、ボタンユニット４０は、他の情報処理装置に適用されても良い。
【００８３】
以上、本願が開示する技術の一実施形態について説明したが、本願が開示する技術は上記の実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【００８４】
なお、以上の実施形態に関し、さらに以下の付記を開示する。
【００８５】
（付記１）
ケースと、
前記ケース内に設けられるスイッチと、
前記ケースに設けられ、前記スイッチに対して接離する操作ボタンと、
前記操作ボタンの前記スイッチ側のボタン裏面における長手方向の中央部から突出し、該スイッチと対向する押し部と、
前記ケース内に前記操作ボタンの長手方向に沿って設けられ、前記ボタン裏面と対向する受け部と、
前記ボタン裏面から突出し、かつ、前記押し部に対する前記操作ボタンの短手方向の一方側に該操作ボタンの長手方向に沿って配置され、前記受け部と対向するとともに、前記操作ボタンの長手方向の端部側における前記ボタン裏面からの突出長さが、該操作ボタンの長手方向の中央部における前記ボタン裏面からの突出長さよりも短いストッパリブ部と、
を備える情報処理装置。
（付記２）
前記ボタン裏面の長手方向の中央部には、前記スイッチに対する前記操作ボタンの接離に伴って該スイッチの一部が挿入されるスイッチ用凹部が形成され、
前記押し部は、前記スイッチ用凹部の底壁部から突出し、
前記ストッパリブ部は、前記スイッチ用凹部に対する前記操作ボタンの短手方向の一方側に配置される、
付記１に記載の情報処理装置。
（付記３）
前記ストッパリブ部の前記ボタン裏面からの突出長さは、前記操作ボタンの長手方向の中央部から端部へ向かうに従って短くなる、
付記１又は付記２に記載の情報処理装置。
（付記４）
前記ストッパリブ部の突出方向の先端部は、前記操作ボタンの短手方向から見て、該操作ボタンと反対側へ凸状に湾曲される、
付記３に記載の情報処理装置。
（付記５）
前記ストッパリブ部は、前記操作ボタンの長手方向の一端部側から他端部側に亘って設けられる、
付記１〜付記４の何れか１つに記載の情報処理装置。
（付記６）
前記ストッパリブ部は、該ストッパリブ部の長手方向の全長に亘って前記受け部と対向する、
付記１〜付記５の何れか１つに記載の情報処理装置。
（付記７）
前記ケースに設けられ、前記操作ボタンの短手方向の他方側に接続されるとともに、弾性変形に伴って該操作ボタンを前記スイッチに対して接離させる弾性支持部を備え、
前記ストッパリブ部は、前記押し部に対する前記弾性支持部と反対側に配置される、
付記１〜付記６の何れか１つに記載の情報処理装置。
（付記８）
前記ケース内に前記操作ボタンの長手方向に沿って設けられ、前記ボタン裏面と対向するベース部材と、
前記ベース部材における前記操作ボタン側の対向面に沿って配置され、該操作ボタンの長手方向に延びるとともに前記スイッチが実装されるスイッチ基板と、
を備え、
前記ストッパリブ部は、前記ボタン裏面から前記スイッチ基板に対する前記弾性支持部と反対側へ突出し、前記受け部としての前記対向面の一部と対向する、
付記７に記載の情報処理装置。
（付記９）
前記ベース部材は、金属製とされる、
付記８に記載の情報処理装置。
（付記１０）
前記ボタン裏面から突出し、かつ、前記押し部に対する前記操作ボタンの端手方向の他方側に該操作ボタンの長手方向に沿って設けられ、前記操作ボタンの長手方向の端部側における前記ボタン裏面からの突出長さが、該操作ボタンの長手方向の中央部における前記ボタン裏面からの突出長さよりも短い補強リブ部を備える、
付記１〜付記９の何れか１つに記載の情報処理装置。
（付記１１）
前記補強リブ部の前記ボタン裏面からの突出長さは、前記操作ボタンの長手方向の中央部から端部へ向かうに従って短くなる、
付記１０に記載の情報処理装置。
（付記１２）
前記補強リブ部の突出方向の先端部は、前記操作ボタンの短手方向から見て、該操作ボタンと反対側へ凸状に湾曲される、
付記１１に記載の情報処理装置。
（付記１３）
前記補強リブ部は、前記操作ボタンの長手方向の一端部側から他端部側に亘って設けられる、
付記１０〜付記１２の何れか１つに記載の情報処理装置。
（付記１４）
前記補強リブ部は、前記ストッパリブ部よりも低剛性とされる、
付記１０〜付記１３の何れか１つに記載の情報処理装置。
（付記１５）
前記操作ボタンの長手方向の中央部及び端部側において、前記補強リブ部の前記ボタン裏面からの突出長さは、前記ストッパリブ部の前記ボタン裏面からの突出長さよりも短い、
付記１４に記載の情報処理装置。
（付記１６）
前記補強リブ部の厚みは、前記ストッパリブ部の厚みよりも薄い、
付記１４又は付記１５に記載の情報処理装置。
（付記１７）
前記操作ボタンは、
前記ケースに形成されるボタン用開口内に配置されるボタン本体部と、
前記ボタン本体部の短手方向の一端部から外側へ張り出し、前記ボタン用開口の縁部に対する前記ケースの内側に配置される一端側張出し部と、
を有し、
前記ストッパリブ部は、前記一端側張出し部から前記操作ボタンと反対側へ突出する、
付記１〜付記１６の何れか１つに記載の情報処理装置。
（付記１８）
前記操作ボタンは、樹脂製とされるとともに平板状を成す、
付記１〜付記１７の何れか１つに記載の情報処理装置。
（付記１９）
前記押し部は、前記スイッチに対する前記操作ボタンの接離に伴って、該スイッチを押下する、
付記１〜付記１８の何れか１つに記載の情報処理装置。
（付記２０）
前記ストッパリブ部は、前記スイッチに対する前記操作ボタンの接離に伴って、前記受け部に接触される、
付記１〜付記１９の何れか１つに記載の情報処理装置。
（付記２１）
ケース内に設けられるスイッチと、
前記ケースに設けられ、前記スイッチに対して接離する操作ボタンと、
前記操作ボタンの前記スイッチ側のボタン裏面における長手方向の中央部から突出し、該スイッチと対向する押し部と、
前記ケース内に前記操作ボタンの長手方向に沿って設けられ、前記ボタン裏面と対向する受け部と、
前記ボタン裏面から突出し、かつ、前記押し部に対する前記操作ボタンの短手方向の一方側に該操作ボタンの長手方向に沿って配置され、前記受け部と対向するとともに、前記操作ボタンの長手方向の端部側における前記ボタン裏面からの突出長さが、該操作ボタンの長手方向の中央部における前記ボタン裏面からの突出長さよりも短いストッパリブ部と、
を備えるボタンユニット。
【符号の説明】
【００８６】
１０      情報処理装置
２０      ケース
３６      ボタン用開口
３６Ｆ    縁部（ボタン用開口の縁部の一例）
４０      ボタンユニット
４２      クリックベース（ベース部材の一例）
４４Ｔ    対向面（ベース部材の対向面の一例）
４４Ｔ３  受け部
５６      スイッチ基板
５８      スイッチ
７０      ボタン部材
７４      クリックボタン（操作ボタンの一例）
７４Ｅ    端部（操作ボタンの長手方向の端部の一例）
７４Ｌ    ボタン裏面
７４Ｍ    中央部（操作ボタンの長手方向の中央部の一例）
７６      スイッチ用凹部
７８      押し部
７９Ａ    支持アーム（弾性支持部の一例）
７９Ｂ    支持アーム（弾性支持部の一例）
９２      ボタン本体部
９２Ｆ    一端部（ボタン本体部の短手方向の一端部の一例）
９２Ｒ    他端部（ボタン本体部の短手方向の他端部の一例）
９４      一端側張出し部
１２０    ストッパリブ部
１２０Ａ  先端部（ストッパリブ部の突出方向の先端部の一例）
１２０Ｅ  端部（ストッパリブ部の長手方向の端部の一例）
１２０Ｍ  中央部（ストッパリブ部の長手方向の中央部の一例）
１２２    ストッパリブ部
１２２Ａ  先端部（ストッパリブ部の突出方向の先端部の一例）
１２２Ｅ  端部（ストッパリブ部の長手方向の端部の一例）
１２２Ｍ  中央部（ストッパリブ部の長手方向の中央部の一例）
１２４    ストッパリブ部
１２４Ａ  先端部（ストッパリブ部の突出方向の先端部の一例）
１２４Ｅ  端部（ストッパリブ部の長手方向の端部の一例）
１２４Ｍ  中央部（ストッパリブ部の長手方向の中央部の一例）
１３０    補強リブ部
１３０Ａ  先端部（補強リブ部の突出方向の先端部の一例）
１３０Ｅ  端部（補強リブ部の長手方向の端部の一例）
１３０Ｍ  中央部（補強リブ部の長手方向の中央部の一例）
１４０    クリックベース（ベース部材の一例）
Ｓ        突出長さ（ボタン裏面からのストッパリブ部の突出長さの一例）
Ｔ        突出長さ（ボタン裏面からの補強リブ部の突出長さの一例）
Ｇ１      厚み（ストッパリブ部の厚みの一例）
Ｇ２      厚み（補強リブ部の厚みの一例）
【図１】
0006551043.tif 000002
【図２】
0006551043.tif 000003
【図３】
0006551043.tif 000004
【図４】
0006551043.tif 000005
【図５】
0006551043.tif 000006
【図６】
0006551043.tif 000007
【図７】
0006551043.tif 000008
【図８】
0006551043.tif 000009
【図９】
0006551043.tif 000010
【図１０】
0006551043.tif 000011
【図１１】
0006551043.tif 000012
【図１２】
0006551043.tif 000013
【図１３】
0006551043.tif 000014
【図１４】
0006551043.tif 000015
【図１５Ａ】
0006551043.tif 000016
【図１５Ｂ】
0006551043.tif 000017
【図１５Ｃ】
0006551043.tif 000018